(57)【要約】【課題】電動作業機のエアコン装置のヒータコアに加熱媒体として水を沸かして温水を供給している手段を、設置コストを安くし、大きな設置スペースを不要にし、保守点検などのメンテナンスを実質上不要にした手段にする。【解決手段】ヒータコア（１４）に油圧ポンプ（３ａ、３ｂ）のドレン油および／またはパイロット回路（２５）のリリーフ弁（２７）のドレン油を供給する供給管路（Ｌ１、Ｌ５）と、ヒータコア（１４）を通したドレン油をタンク（１８）に導く排出管路（Ｌ２）を備え、ヒータコア（１４）に加熱媒体としてドレン油を供給する。【選択図】図１
2008207641.tif 000002
【特許請求の範囲】
【請求項１】
エアコンユニットのヒータコアに加熱媒体として油圧ポンプのドレン油および／またはパイロット回路のリリーフ弁のドレン油を供給する供給管路と、
ヒータコアを通したドレン油をタンクに導く排出管路とを備えている
ことを特徴とする電動作業機のエアコン装置。
【請求項２】
供給管路を排出管路に、供給管路のドレン油が規定の圧力を超えたときに開放する開放弁を備えている
ことを特徴とする請求項１記載の電動作業機のエアコン装置。
【請求項３】
供給管路を排出管路に、開閉切換可能にバイパスする切換弁を備えている
ことを特徴とする請求項１または２記載の電動作業機のエアコン装置。
【請求項４】
外気温度センサを備え、
切換弁は、外気温度センサの検出温度が設定温度よりも高いときに供給管路を排出管路にバイパスする
ことを特徴とする請求項３記載の電動作業機のエアコン装置。
【請求項５】
供給管路に、サージ圧吸収用のアキュムレータを備えている
ことを特徴とする請求項１記載の電動作業機のエアコン装置。
【発明の詳細な説明】
【技術分野】
【０００１】
本発明は、例えば電動油圧ショベルのような、水冷式の冷却装置を備えていない電動作業機のエアコン装置に関する。
【背景技術】
【０００２】
電動油圧ショベルのような電動作業機は、動力源として電動機を備え、エンジンを備えていない。したがって、ラジエータのような温水ができる冷却装置を備えていないので、エアコン装置のヒータコアには、温水として電気ヒータによって水が沸かされて送られる（例えば、特許文献１参照）。
【特許文献１】特開２００２−６１２３０号公報（第１図）
【発明の開示】
【発明が解決しようとする課題】
【０００３】
上述したとおりの形態の電動作業機のエアコン装置には、次のとおりの解決すべき課題がある。
【０００４】
すなわち、温水を電気ヒータによって生成するために、電動機を駆動する数１００Ｖの電源の高電圧を１００Ｖの低電圧に変換する機器、水のタンク、電気ヒータ、送水のための電動ポンプ、などが必要である。したがって、設置コストがかかり、大きな設置スペースも必要である。設置スペースが限られる小型の電動作業機に搭載するのは困難である。
【０００５】
さらに、水タンクの保守点検、例えば水の補充、清掃、などのメンテナンスが必要である。
【０００６】
本発明は上記事実に鑑みなされたもので、その技術的課題は、設置コストを安くでき、大きな設置スペースを不要にし、保守点検などのメンテナンスを実質上不要にした、ヒータコアに加熱媒体を供給する手段を有した電動作業機のエアコン装置を提供することである。
【課題を解決するための手段】
【０００７】
本発明によれば上記技術的課題を解決する電動作業機のエアコン装置として、エアコンユニットのヒータコアに加熱媒体として油圧ポンプのドレン油および／またはパイロット回路のリリーフ弁のドレン油を供給する供給管路と、ヒータコアを通したドレン油をタンクに導く排出管路とを備えていることを特徴とする電動作業機のエアコン装置が提供される。
【０００８】
好適には、供給管路を排出管路に、供給管路のドレン油が規定の圧力を超えたときに開放する開放弁を備えている。また、供給管路を排出管路に、開閉切換可能にバイパスする切換弁を備えており、外気温度センサを備え、切換弁は、外気温度センサの検出温度が設定温度よりも高いときに供給管路を排出管路にバイパスする。さらに、供給管路に、サージ圧吸収用のアキュムレータを備えている。
【発明の効果】
【０００９】
本発明に従って構成された電動作業機のエアコン装置は、加熱媒体として、油圧ポンプのドレン油および／またはパイロット回路のリリーフ弁のドレン油をヒータコアに供給する。電動作業機において、機体、作業装置の駆動などのために備えられる油圧ポンプの内部漏れであるドレン油およびパイロット回路のリリーフ弁のドレン油は、高圧から低圧に放出されるのでそのエネルギーが熱に変化しドレン油は加熱される。したがって、このドレン油をエアコンユニットに加熱媒体として供給することにより、設置コストを安くでき、大きな設置スペースを不要にし、保守点検などのメンテナンスを実質上不要にした、ヒータコアに加熱媒体を供給する手段を有した電動作業機のエアコン装置を提供できる。
【発明を実施するための最良の形態】
【００１０】
以下、本発明に従って構成された電動作業機のエアコン装置について、好適実施形態を図示している添付図面を参照して、さらに詳細に説明する。
【００１１】
図１を参照して説明する。全体を番号３０で示す、電動作業機のエアコン装置は、エアコンユニット３２の温風を生成するヒータコア１４に加熱媒体として油圧ポンプ３ａ、３ｂのドレン油を供給する供給管路Ｌ１と、ヒータコア１４を通したドレン油をタンク１８に導く排出管路Ｌ２を備えている。
【００１２】
電動作業機は、機体、作業装置の駆動などのために複数の油圧ポンプを装備し、実施例における２個の油圧ポンプ３ａ、３ｂは、可変容量型に形成され、ポンプドライブギヤ２を介して電動機１により駆動されている。排出管路Ｌ２にはフィルタ１７が備えられている。
【００１３】
エアコン装置３０はまた、パイロット回路２５のパイロット油圧を設定するリリーフ弁２７のドレン油を供給管路Ｌ１に流す供給管路Ｌ５を備えている。パイロット回路２５には、前記油圧ポンプ３ｂと同軸で駆動されるパイロットポンプ２６の吐出油であるパイロット油が供給され、このパイロット油はリリーフ弁２７をリリーフ状態にすることによりパイロット回路２５のパイロット油圧を常に所定の圧力に保持している。
【００１４】
供給管路Ｌ１には、サージ圧吸収用のアキュムレータ２８が備えられている。
【００１５】
エアコンユニット３２は、周知のものであり詳細な説明は省略するが、ヒータコア１４に併設された冷風を生成するためのエバポレータ１３には、冷媒が、コンプレッサ４、コンデンサ１０、レシーバドライヤ１２、エバポレータ１３を通り流され循環される。コンプレッサ４には電磁クラッチ７を介してプーリー４ａが取り付けられ、プーリー４ａはベルト６により電動機５のプーリー５ａに接続されている。
【００１６】
コンデンサ１０は、電動作業機の作動油を冷却するオイルクーラ１１に直列に設置され電動機８によって駆動されるファン９により生成される冷却風が通される。
【００１７】
エバポレータ１３およびヒータコア１４には、エアコンユニット３２に備えたブロアファン（図示していない）によって送られる風が通され、通過する風量がダンパ（図示していない）の開閉によって制御され、エアコンユニット３２が生成する冷風あるいは温風が制御される。
【００１８】
供給管路Ｌ１と排出管路Ｌ２の間には、供給管路Ｌ１のドレン油が規定の圧力を超えたときに供給管路Ｌ１を排出管路Ｌに開放する、開放弁であるチェックバルブ１５が両管路を結ぶ管路Ｌ３に備えられている。この開放する圧力は、ヒータコア１４および油圧ポンプ３ａ、３ｂのドレン室の耐圧強度を超えないように規定される。
【００１９】
エアコン装置３０はさらに、外気温度センサ２１と、外気温度センサ２１の検出温度が設定温度より高いときに供給管路Ｌ１を排出管路Ｌ２にバイパスする切換弁である電磁切換弁１６を備えている。電磁切換弁１６は、常時「閉」・通電時「開」の２位置弁で形成され、供給管路Ｌ１と排出管路Ｌ２を結ぶ管路Ｌ４に備えられ、外気温度センサ２１の信号を処理する制御器２４を介して操作される。
【００２０】
図１とともに図２を参照して説明する。制御器２４は、温度設定器２０による設定温度と外気温度センサ２１による検出温度の偏差を減算器２２で求め、電磁切換弁制御器２３で外気温度が設定温度に比較して規定以上高い場合は電磁切換弁１６をＯＮにして「開」位置にし、ドレン油がヒータコア１４に流れないようにバイパスする。
【００２１】
この設定温度は、例えば夏場の冷房時に高温のドレン油がヒータコア１４に流れないように、所望の冷房温度よりも低い温度に設定される。
【００２２】
上述したとおりの電動作業機のエアコン装置３０の作用効果について説明する。
【００２３】
本発明に従って構成された電動作業機のエアコン装置３０は、加熱媒体として油圧ポンプ３ａ、３ｂのドレン油およびパイロット回路２５のリリーフ弁２７のドレン油がヒータコア１４に供給される。電動作業機において、機体、作業装置の駆動などのために備えられる油圧ポンプの内部漏れであるドレン油およびパイロット回路のリリーフ弁からのドレン油は、高圧から低圧に放出される際にそのエネルギーが熱に変化し、ドレン油は加熱される。
【００２４】
また、油圧ポンプ３ａ、３ｂのドレン油およびパイロット回路２５のリリーフ弁２７のドレン油は、定常的に流れるので、ドレン油は安定した加熱媒体として供給される。
【００２５】
したがって、このドレン油をエアコンユニット３２に加熱媒体として供給することにより、設置コストを安くでき、大きな設置スペースを不要にし、さらに保守点検などのメンテナンスを実質上不要にした、ヒータコアに加熱媒体を供給する手段を有したエアコン装置を提供できる。
【００２６】
また、従来の電気ヒータにより水を沸かし温水をつくる場合の、水が暖まりにくくエアコン装置の暖房運転の準備に時間がかかる問題も改善できる。
【００２７】
さらに、従来タンクに排出されオイルクーラ１１（図１）によって冷却されていたドレン油によるエネルギーロスを、ヒータコアへの加熱媒体として有効に活用することができる。
【００２８】
また、ドレン油は油圧ポンプ３ａ、３ｂ、リリーフ弁２７などから送り出されるので、従来電気ヒータにより水を沸かし温水をつくる場合に必要であった、送水用の電動ポンプのようなポンプを不要にすることができる。
【００２９】
エアコン装置３０は、供給管路Ｌ１、Ｌ５のドレン油が規定の圧力を超えたときに供給管路Ｌ１、Ｌ５を排出管路Ｌ２に開放する開放弁１５を備えている。したがって、ヒータコア１４および油圧ポンプ３ａ、３ｂ、リリーフ弁２７などのドレン室が異常圧により損傷するのが防止される。
【００３０】
エアコン装置３０はまた、外気温度センサ２１の検出温度が設定温度より高いときに供給管路Ｌ１、Ｌ５を排出管路Ｌ２にバイパスする切換弁１６を備えている。したがって、例えば夏場の冷房時に高温のドレン油がヒータコア１４に流れないようにすることができ、効率よく冷房運転をすることができる。
【００３１】
さらに、供給管路Ｌ１、Ｌ５のサージ圧を吸収するアキュムレータ２８を備えているので、パイロット回路２５のリリーフ弁２７から放出されるドレン油量の変動（パイロット回路２５の機器類の操作に応じてドレン油量が変わる）に対して、供給管路Ｌ１、Ｌ５の圧力変動を小さくできる。
【００３２】
以上、本発明を実施例に基づいて詳細に説明したが、本発明は上記の実施例に限定されるものではなく、例えば下記のように、本発明の範囲内においてさまざまな変形あるいは修正ができるものである。
【００３３】
本発明の実施形態においては、エアコンユニット３２のヒータコア１４に加熱媒体として油圧ポンプ３ａ、３ｂのドレン油およびパイロット回路２５のリリーフ弁２７のドレン油が供給されているが、それぞれの発熱量あるいはヒータコア１４に要求される熱量などに応じて、いずれか一方のドレン油のみを供給してもよい。
【００３４】
本発明の実施形態においては、供給管路Ｌ１、Ｌ５を排出管路Ｌ２にバイパスする切換弁として制御器２４を介し操作される電磁切換弁１６を備えているが、この電磁切換弁１６は手動のオンオフスイッチによって操作してもよい。また、切換弁を電磁切換弁でなく手動の切換弁にしてもよい。
【図面の簡単な説明】
【００３５】
【図１】本発明に従って構成された電動作業機のエアコン装置の構成説明図。
【図２】切換弁の開閉制御の説明図。
【符号の説明】
【００３６】
３ａ、３ｂ：油圧ポンプ
１４：ヒータコア
１５：チェックバルブ（開放弁）
１６：電磁切換弁（切換弁）
１８：タンク
２１：外気温度センサ
２５：パイロット回路
２７：リリーフ弁
２８：アキュムレータ
３０：エアコン装置
３２：エアコンユニット
Ｌ１：供給管路
Ｌ２：排出管路
Ｌ５：供給管路
【図１】
2008207641.tif 000003
【図２】
2008207641.tif 000004